(57)【要約】      （修正有）【課題】プログラム作成の手間をかけずに機械加工を可能とするＧコードレス加工装置を提供する。【解決手段】３次元（３Ｄ）の画像に基いて３次元の画像データを作成する画像データ作成手段１と、プログラムで数値制御されて作動する工作機械５と、画像データ作成手段及び工作機械間を電気的に接続するように配置されたプログラム変換装置６とを有することを特徴とする。【選択図】図１
0003194239.tif 000002
【実用新案登録請求の範囲】
【請求項１】
３次元（３Ｄ）の画像に基いて３次元の画像データを作成する画像データ作成手段と、プログラムで数値制御されて作動する工作機械と、画像データ作成手段及び工作機械間を電気的に接続するように配置されたプログラム変換装置とを有することを特徴とするＧコードレス加工装置。
【請求項２】
工作機械がマシニングセンタであり、画像データ作成手段が３次元画像用の画像測定機であることを特徴とするＧコードレス加工装置。
【請求項３】
工作機械がマシニングセンタであり、画像データ作成手段が３次元用のデジタルカメラであることを特徴とするＧコードレス加工装置。
【考案の詳細な説明】
【技術分野】
【０００１】
本考案は、Ｇコードレス加工装置に関する。
【背景技術】
【０００２】
従来、品物の機械加工は、工作機械、とくにマシニングセンタで、Ｘ、Ｙ、Ｚの座標値をプログラムで指定して、その数値どおりにマシニングセンタを作動させていた。
【０００３】
従来の加工法では、Ｘ、Ｙ、Ｚの値をプログラムするために多大の時間が必要であった。また、ミスプログラムをすると、間違った加工を行うことになり、不良品が発生する。
【考案の概要】
【考案が解決しようとする課題】
【０００４】
本考案の課題は、マシニングセンタ用のプログラム作成の手間をかけずにマシニングセンタにより機械加工することを可能とするＧコードレス加工装置を提供することである。
【課題を解決するための手段】
【０００５】
本考案の解決手段は、実用新案登録請求の範囲に記載のとおりである。すなわち、
（１）３次元（３Ｄ）の画像に基いて３次元の画像データを作成する画像データ作成手段と、プログラムで数値制御されて作動する工作機械と、画像データ作成手段及び工作機械間を電気的に接続するように配置されたプログラム変換装置とを有することを特徴とするＧコードレス加工装置。
【０００６】
（２）工作機械がマシニングセンタであり、画像データ作成手段が３次元画像用の画像測定機であることを特徴とする前述のＧコードレス加工装置。
【０００７】
（３）工作機械がマシニングセンタであり、画像データ作成手段が３次元用のデジタルカメラであることを特徴とする前述のＧコードレス加工装置。
【考案の効果】
【０００８】
本考案によれば、Ｇコード（例えばＧ００、Ｇ０１、Ｇ１１）やＭコード（例えば、Ｍ３０、Ｍ６０）といったＮＣ言語をマシングセンタに入力しなくてもよいので、ＧコードやＭコードを知らない作業者でも、３次元画像のデジタルデータに基いて、マシニングセンタ用のプログラム作成の手間をかけずに、マシニングセンタにより加工を行えるＧコードレス加工装置が実現できる。
【０００９】
加工する立体の物体又は人物等から立体画像データを得て、その立体画像データを利用して、自動的にデータ変換をしてマシニングセンタにデータを入力することにより、マシニングセンタの作動にとって煩わしいＸ、Ｙ、Ｚ座標のプログラムを入力することが不要となる。つまり、マシニングセンタ用のプログラムを特別に入力することなく、３次元画像のデジタルデータを利用するので、単にプログラム変換をするだけで、自動的にマシニングセンタで機械加工できる。
【図面の簡単な説明】
【００１０】
【図１】本考案の実施例１によるＧコードレス加工装置を示す説明図。
【図２】本考案の実施例２によるＧコードレス加工装置を示す説明図。
【考案を実施するための形態】
【００１１】
本考案によるＧコードレス加工装置の１つの典型例は、ＧコードＭコードといったＮＣ言語を知らない人でも、立体画像、３次元画像、写真画像等のデジタルデータからＳＴＬファイルを作り、マシニングセンタ用のプログラム作成の手間をかけずに加工できるマシニングセンタ、例えば超高速立型マシニングセンタである。とくに、本考案では、超高速金型加工機に改良を加え、近年注目されている３Ｄプリンタのデジタルデータを利用可能であるが、それとはリバースの動きを用いる。３Ｄプリンタは主にプラスチック等の材料を積層していくのに対して、本考案によるＧコードレス加工装置は同様の動きで掘り込んでいくものであり、とくに高硬度な鋼材やアルミ合金まで幅広く切削加工で形状生成を行うのに適している。
【００１２】
なお、従来使われていたＮＣ言語でのプログラムを用いて、マシニングセンタによって超高速で加工することも可能である。
【００１３】
加工対象は、写真の画像とくに人物画像、画像測定機から３次元デジタルデータを入手可能な全ての物体である。そのような物体の典型例である金型は、オス及びメスの金型である。他の加工対象として、自動車部品、航空・宇宙部品、医療機器部品をあげることができる。
【００１４】
写真画像を利用する場合、３次元デジタルカメラで写して得た写真データから、プログラム変換器により、マシニングセンタ用のプログラムに変換して、マシニングセンタを作動させる。
【００１５】
画像測定機を利用する場合、画像測定機で加工対象を測定しながらマシニングセンタを作動させたり、予め画像測定機で加工対象を測定して、加工対象の測定全体のデジタルデータを入手しておき、必要に応じて、あとから測定から得られたデジタルデータをプログラム変換器で変換して、マシニングセンタを作動させる。
【００１６】
また、写真の表面の明暗をグレースケールで出力して３次元デジタルデータを得て、マシニングセンタを作動させる。
【００１７】
本考案の実施形態の一例を述べると、主軸回転速度は毎分７０，０００回転とし、送り速度は最大で１２０ｍ／分とする。左右方向はＸ・Ｕ軸を相対的にそれぞれＭＡＸ６０ｍ／分で移動する。この場合、従来の金型加工機の３倍以上の条件で加工可能である。制御装置は最もハイエンドなものを搭載して、従来の５倍の処理速度にすることができ、加工時間の大幅な短縮が可能になる。さらに、加工時間が１００時間を越す大容量のプログラムでも、最大５１２ＧＢハードディスクに分割せずに、余裕を持って保存可能となるうえ、ＵＳＢドライブからも直接運転が可能となる。
【００１８】
以下、図面を参照して、本考案の実施例１及び２について説明する。
【実施例１】
【００１９】
図１は、本考案の実施例１を示す。
【００２０】
本考案の実施例１においては、３次元（３Ｄ）の画像データ作成手段１は、品物（例えば金型）の３次元（３Ｄ）の画像測定機２と、制御装置３と、画像表示装置４とを有する。この画像データ作成手段１は、３Ｄプリンタの技術分野で従来公知のものを使用できる。
【００２１】
工作機械とくにマシニングセンタ５は、プログラムどおりに数値制御されて作動する従来公知のマシニングセンタを使用できる。例えば、Ｘ、Ｙ、Ｚの座標値を指定して、プログラムの値どおりに数値制御してマシニングセンタ５を作動する。
【００２２】
画像データ作成手段１とマシニングセンタ５との間に、それらを電気的に接続するように、プログラム変換装置６を配置する。
【００２３】
画像測定機２で測定して得た３次元画像データ（値）は、３Ｄプリンタの作動に使用できるものであるが、そのままマシニングセンタ５につなぐ。つまり、プログラム変換装置６により、画像データ（値）をマシニングセンタ５用のデータ（数値）に自動的に変換する。換言すれば、３Ｄ画像データを入手すると同時に、又は、その後必要に応じて、３Ｄプリンタ用の画像データによってマシニングセンタ５を作動させる。
【実施例２】
【００２４】
図２は、本考案の実施例２を示す。
【００２５】
本考案の実施例２においては、３次元（３Ｄ）の画像データ作成手段１は、立体写真（例えば人物７の立体写真）をとるカメラ、例えば、画像表示装置及び制御装置を内蔵した高精度デジタルカメラ８である。このカメラ８は、従来公知のものを使用できる。
【００２６】
工作機械とくにマシニングセンタ５は、プログラムどおりに作動する従来公知のマシニングセンタを使用できる。例えば、Ｘ、Ｙ、Ｚの座標値を指定して、プログラムの値どおりに数値制御してマシニングセンタ５を作動する。
【００２７】
画像データ作成手段１とマシニングセンタ５との間に、それらを電気的に接続するように、プログラム変換装置６を配置する。
【００２８】
画像測定機２で測定して得た画像データ（値）は、３Ｄプリンタの作動に使用できるものであるが、そのままマシニングセンタ５につなぐ。つまり、プログラム変換装置６により、画像データ（値）をマシニングセンタ５用のデータ（数値）に自動的に変換する。換言すれば、即時又は事後的に、３Ｄプリンタ用の画像データによってマシニングセンタ５を作動させる。
【００２９】
要するに、立体写真を３次元のデジタルデータとして利用し、マシニングセンタ５を作動させる。このようにして、立体写真データによる機械加工を可能としているのである。
【符号の説明】
【００３０】
１  ３次元（３Ｄ）の画像データ作成手段
２  画像測定機
３  制御装置
４  画像表示装置
５  工作機械とくにマシニングセンタ
６  プログラム変換装置
７  人物
８  高精度デジタルカメラ
【図１】
0003194239.tif 000003
【図２】
0003194239.tif 000004
【手続補正書】
【提出日】平成26年9月11日(2014.9.11)
【手続補正１】
【補正対象書類名】実用新案登録請求の範囲
【補正対象項目名】全文
【補正方法】変更
【補正の内容】
【実用新案登録請求の範囲】
【請求項１】
３次元（３Ｄ）の画像に基いて３次元の画像データを作成する画像データ作成手段と、プログラムで数値制御されて作動する工作機械と、画像データ作成手段及び工作機械間を電気的に接続するように配置されたプログラム変換装置とを有することを特徴とするＧコードレス加工装置。
【請求項２】
工作機械がマシニングセンタであり、画像データ作成手段が３次元画像用の画像測定機であることを特徴とする請求項１に記載のＧコードレス加工装置。
【請求項３】
工作機械がマシニングセンタであり、画像データ作成手段が３次元用のデジタルカメラであることを特徴とする請求項１に記載のＧコードレス加工装置。